(57)【要約】【課題】  顧客企業の保有する多数のＩＴ機器の所在位置を容易に確定して管理することが可能なＩＴ資産所在位置確定管理システムの提供。【解決手段】  ＩＴ資産所在位置確定管理システムＳは、多数のＰＣ２を保有する顧客企業１とＩＴ資産管理センタ３とＩＴ資産管理者４とからなる。顧客企業１のサーバ１０とＩＴ資産管理センタ３のサーバ３０とＩＴ資産管理者４のＰＣ４０とをネットワーク５を介して接続する。顧客企業１のサーバ１０がＩＤチップ２０，ＧＰＳチップ２１及び構内ＰＨＳチップ２２若しくは無線ＬＡＮユニット２３から取得したＰＣ２のＩＴ資産情報をＩＴ資産管理センタ３のサーバ３０に送信する。ＩＴ資産管理センタ３のサーバ３０が顧客企業１のサーバ１０から送信されたＰＣ２のＩＴ資産情報を受信してＤＢ３１に登録する。【選択図】        図１
2005208808.tif 000002
【特許請求の範囲】
【請求項１】
管理対象となるＩＴ資産としての多数のＩＴ機器を保有する顧客企業と、前記顧客企業の保有する前記ＩＴ機器に関する各種のＩＴ資産情報を管理するＩＴ資産管理センタと、前記ＩＴ機器に関する各種のＩＴ資産情報を管理するＩＴ資産管理者とからなり、前記顧客企業サーバと前記ＩＴ資産管理センタサーバと前記ＩＴ資産管理者端末とをネットワークを介して前記ＩＴ機器に関する各種のＩＴ資産情報を送受信するように接続し、前記顧客企業の建物内に配置された前記ＩＴ機器の所在位置を確定して管理するようにしたＩＴ資産所在位置確定管理システムであって、
前記ＩＴ機器は、自己のＩＤ情報を記録したＩＤ情報記録手段と、複数の人工衛星からの測距電波を受信することにより自己の現在位置を測定する測位手段と、自己の配置場所を特定するために通信網と無線通信を行う無線通信手段とを具備し、前記顧客企業サーバは、前記ＩＤ情報記録手段，前記測位手段及び前記無線通信手段から自己のＩＤ情報，自己の現在位置情報及び自己の配置場所情報などの前記ＩＴ機器に関する各種のＩＴ資産情報を取得する機能と、取得した前記ＩＴ機器に関する各種のＩＴ資産情報を前記ＩＴ資産管理センタサーバに送信する機能とを備え、前記ＩＴ資産管理センタサーバは、前記顧客企業サーバから送信された前記ＩＴ機器に関する各種のＩＴ資産情報を受信する機能と、受信した前記ＩＴ機器に関する各種のＩＴ資産情報を管理データベースに登録する機能と、受信した前記ＩＴ機器に関する各種のＩＴ資産情報を前記ＩＴ資産管理者端末に送信する機能とを備え、前記ＩＴ資産管理者端末は、前記ＩＴ資産管理センタサーバから送信された前記ＩＴ機器に関する各種のＩＴ資産情報を受信する機能と、受信した前記ＩＴ機器に関する各種のＩＴ資産情報を表示手段に編集・出力・表示する機能とを備えたことを特徴とするＩＴ資産所在位置確定管理システム。
【請求項２】
上記顧客企業サーバは、上記ＩＴ機器の電源投入時に、上記ＩＤ情報記録手段，上記測位手段及び上記無線通信手段から自己のＩＤ情報，自己の現在位置情報及び自己の配置場所情報などの前記ＩＴ機器に関する各種のＩＴ資産情報を取得する機能と、取得した前記ＩＴ機器に関する各種のＩＴ資産情報を上記ＩＴ資産管理センタサーバに送信する機能とを備えている請求項１に記載のＩＴ資産所在位置確定管理システム。
【請求項３】
上記顧客企業サーバは、上記顧客企業の建物内に配置された上記ＩＴ機器を移動した場合に、上記ＩＤ情報記録手段，上記測位手段及び上記無線通信手段から移動された前記ＩＴ機器の自己のＩＤ情報，自己の現在位置情報及び自己の配置場所情報などの変更すべき前記ＩＴ機器に関する各種のＩＴ資産情報を取得する機能と、取得した変更すべき前記ＩＴ機器に関する各種のＩＴ資産情報を上記ＩＴ資産管理センタサーバに自動的に送信する機能とを備え、前記ＩＴ資産管理センタサーバは、前記顧客企業サーバから送信された変更すべき前記ＩＴ機器に関する各種のＩＴ資産情報を受信する機能と、受信した変更すべき前記ＩＴ機器に関する各種のＩＴ資産情報を上記管理データベースに記憶・更新する機能と、受信した変更すべき前記ＩＴ機器に関する各種のＩＴ資産情報を上記ＩＴ資産管理者端末に送信する機能とを備え、前記ＩＴ資産管理者端末は、前記ＩＴ資産管理センタサーバから送信された変更すべき前記ＩＴ機器に関する各種のＩＴ資産情報を受信する機能と、受信した変更すべき前記ＩＴ機器に関する各種のＩＴ資産情報を上記表示手段に編集・出力・表示する機能とを備えている請求項１に記載のＩＴ資産所在位置確定管理システム。
【請求項４】
上記ＩＴ機器を識別する上記ＩＤ情報は、ＩＤ番号，機種，機種名，型名，型番，製造番号，購入年月日などの情報を含んでいる請求項１に記載のＩＴ資産所在位置確定管理システム。
【請求項５】
上記現在位置情報は、ＧＰＳ情報である請求項１に記載のＩＴ資産所在位置確定管理システム。
【請求項６】
上記ＩＴ機器を配置した場所を特定する上記配置場所情報は、上記顧客企業の建物のフロアの階層，区画などの情報を含んでいる請求項１に記載のＩＴ資産所在位置確定管理システム。
【請求項７】
上記ＩＴ資産管理センタサーバは、任意の時刻に上記顧客企業サーバに上記ＩＴ機器に関する各種のＩＴ資産情報の送出を指示する機能を備えている請求項１に記載のＩＴ資産所在位置確定システム。
【請求項８】
上記顧客企業サーバは、上記ＩＴ資産管理センタサーバからの送出指示に従って上記ＩＴ機器に関する各種のＩＴ資産情報を前記ＩＴ資産管理センタサーバに送信する機能を備えている請求項７に記載のＩＴ資産所在位置確定システム。
【請求項９】
上記ＩＴ資産管理者端末は、上記ＩＴ資産管理センタサーバに上記ＩＴ機器に関する各種のＩＴ資産情報の送出を指示する機能を備えている請求項１に記載のＩＴ資産所在位置確定システム。
【請求項１０】
上記ＩＴ資産管理センタサーバは、上記ＩＴ資産管理者端末からの送出指示に従って指示された上記ＩＴ機器に関する各種のＩＴ資産情報を上記管理データベースより入手する機能と、入手した前記ＩＴ機器に関する各種のＩＴ資産情報を編集・出力し、前記ＩＴ機器に関する各種のＩＴ資産情報を編集した編集情報を前記ＩＴ資産管理者端末に送出する機能とを備えている請求項９に記載のＩＴ資産所在位置確定システム。
【請求項１１】
上記ＩＴ資産管理者端末は、上記ＩＴ資産管理センタサーバから送出された上記ＩＴ機器に関する各種のＩＴ資産情報の編集情報を受信する機能と、受信した前記ＩＴ機器に関する各種のＩＴ資産情報の編集情報を上記表示手段の表示画面に出力する機能とを備えている請求項１０に記載のＩＴ資産所在位置確定システム。
【請求項１２】
上記ＩＤ情報記録手段は、上記ＩＴ機器に内蔵されたＩＤチップである請求項１に記載のＩＴ資産所在位置確定管理システム。
【請求項１３】
上記測位手段は、上記ＩＴ機器に内蔵されたＧＰＳチップである請求項１に記載のＩＴ資産所在位置確定管理システム。
【請求項１４】
上記無線通信手段は、上記ＩＴ機器に内蔵された構内ＰＨＳチップである請求項１に記載のＩＴ資産所在位置確定管理システム。
【請求項１５】
上記無線通信手段は、上記ＩＴ機器に内蔵された無線ＬＡＮユニットである請求項１に記載のＩＴ資産所在位置確定管理システム。
【発明の詳細な説明】
【技術分野】
【０００１】
本発明は、ＩＴ資産所在位置確定管理システムに関し、特に、顧客企業の保有する多数のパソコンやディスプレイなどのＩＴ資産（ＩＴ機器）の所在位置を確定して管理するＩＴ資産所在位置確定管理システムに関するものである。
【背景技術】
【０００２】
近年、オフィスのＩＴ（Ｉｎｆｏｒｍａｔｉｏｎ  Ｔｅｃｈｎｏｌｏｇｙ；情報技術）化が進み、数多くのパソコンやディスプレイなどのＩＴ機器（情報機器）がオフィスに導入されている。
一般に、ＩＴ機器の多くは高額であり、これらのＩＴ機器はＩＴ資産（固定資産）として管理されている。
【０００３】
そして、ＩＴ機器をＩＴ資産として管理するために、ＩＴ機器の機器本体の背面に、そのＩＴ機器の名称や、配置場所や、番号などを表記したＩＴ資産ラベルを貼付している。
例えば、ＩＴ機器の配置場所を変更する際、変更すべきＩＴ機器に貼付されたＩＴ資産ラベルに表記された内容に基いて台帳を照合し、この台帳とＩＴ資産ラベルとの配置場所の欄に表記された配置場所を、新たな配置場所に書き換えている。
【０００４】
しかしながら、上述したＩＴ資産ラベルを用いたＩＴ資産管理では、数多くのＩＴ機器を管理すると、非常に手間がかかるという問題がある。
【０００５】
従来、多くの情報機器（ＩＴ機器）の固定資産（ＩＴ資産）を容易に管理できるようにした固定資産情報管理システムが特許文献１に開示されている。
【特許文献１】特開２００３−９１６３７号公報
【発明の開示】
【発明が解決しようとする課題】
【０００６】
ところが、従来の特許文献１に開示された固定資産情報管理システムでは、情報機器が固定資産情報を記憶する記憶手段を有し、サーバの固定資産情報を管理する固定資産情報管理手段によって、ネットワークを介して情報機器の記憶手段に記憶された固定資産情報にアクセスして、固定資産情報の読出しや書込み、あるいは変更などが行われて固定資産情報を管理するようにしたにすぎないものであり、情報機器の配置場所などが変更された場合には、固定資産情報のうちの変更すべき情報をサーバのキーボートで入力することによって、固定資産情報を変更しなければならず、情報機器の所在位置を確定して管理することができなかった。
【０００７】
そこで、本発明の目的は、上記の事情に鑑みてなされたものであって、管理対象となるＩＴ機器にあらかじめＩＤ情報記録手段，測位手段及び無線通信手段を内蔵させておくのみで、ＩＴ機器に内蔵されたＩＤ情報記録手段にＩＤ情報が記録されているので、ＩＴ機器をＩＤ情報記録手段に記録されたＩＤ情報により識別することができ、ＩＴ機器に内蔵された測位手段が自己の現在位置を測定するので、ＩＴ機器の現在位置を測位手段により特定することができ、ＩＴ機器に内蔵された無線通信手段が通信網と無線通信を行うので、ＩＴ機器の配置場所を無線通信手段により特定することができ、顧客企業サーバがＩＤ情報記録手段，測位手段及び無線通信手段から取得したＩＤ情報，現在位置情報及び配置場所情報などのＩＴ機器に関する各種のＩＴ資産情報をネットワークを経由してＩＴ資産管理センタサーバに送信し、ＩＴ資産管理センタサーバが顧客企業サーバから送信されたＩＴ機器に関する各種のＩＴ資産情報を受信して管理データベースに登録するので、顧客企業の保有する多数のＩＴ機器に関する各種のＩＴ資産情報をＩＴ資産管理センタサーバにより管理することができ、顧客企業の建物内に配置されたＩＴ機器を移動した場合でも、顧客企業サーバがＩＤ情報記録手段，測位手段及び無線通信手段から取得した変更すべきＩＴ機器に関する各種のＩＴ資産情報をネットワークを経由してＩＴ資産管理センタサーバに自動的に送信するので、ＩＴ資産管理センタの管理データベースに登録されているＩＴ機器に関する各種のＩＴ資産情報をＩＴ資産管理センタサーバにより迅速に更新することができ、従来のようにＩＴ資産情報のうちの変更すべき情報をサーバのキーボードで入力することにより、ＩＴ資産情報を変更する必要がなく、ＩＴ資産情報を変更するためのサーバのキーボードで入力するような手間を省くことができ、ＩＴ機器の所在位置をＩＴ資産情報のうちの現在位置情報と配置場所情報から把握し、顧客企業の保有する多数のＩＴ機器の所在位置を容易に確定して管理することが可能なＩＴ資産所在位置確定管理システムを提供することにある。
【課題を解決するための手段】
【０００８】
本発明のＩＴ資産所在位置確定管理システムは、管理対象となるＩＴ資産としての多数のＩＴ機器を保有する顧客企業と、前記顧客企業の保有する前記ＩＴ機器に関する各種のＩＴ資産情報を管理するＩＴ資産管理センタと、前記ＩＴ機器に関する各種のＩＴ資産情報を管理するＩＴ資産管理者とからなり、前記顧客企業サーバと前記ＩＴ資産管理センタサーバと前記ＩＴ資産管理者端末とをネットワークを介して前記ＩＴ機器に関する各種のＩＴ資産情報を送受信するように接続し、前記顧客企業の建物内に配置された前記ＩＴ機器の所在位置を確定して管理するようにしたＩＴ資産所在位置確定管理システムであって、前記ＩＴ機器が、自己のＩＤ情報を記録したＩＤ情報記録手段と、複数の人工衛星からの測距電波を受信することにより自己の現在位置を測定する測位手段と、自己の配置場所を特定するために通信網と無線通信を行う無線通信手段とを具備し、前記顧客企業サーバが、前記ＩＤ情報記録手段，前記測位手段及び前記無線通信手段から自己のＩＤ情報，自己の現在位置情報及び自己の配置場所情報などの前記ＩＴ機器に関する各種のＩＴ資産情報を取得する機能と、取得した前記ＩＴ機器に関する各種のＩＴ資産情報を前記ＩＴ資産管理センタサーバに送信する機能とを備え、前記ＩＴ資産管理センタサーバが、前記顧客企業サーバから送信された前記ＩＴ機器に関する各種のＩＴ資産情報を受信する機能と、受信した前記ＩＴ機器に関する各種のＩＴ資産情報を管理データベースに登録する機能と、受信した前記ＩＴ機器に関する各種のＩＴ資産情報を前記ＩＴ資産管理者端末に送信する機能とを備え、前記ＩＴ資産管理者端末が、前記ＩＴ資産管理センタサーバから送信された前記ＩＴ機器に関する各種のＩＴ資産情報を受信する機能と、受信した前記ＩＴ機器に関する各種のＩＴ資産情報を表示手段に編集・出力・表示する機能とを備えたことを特徴とする構成を有するものである。
【０００９】
上記に記載の本発明によれば、顧客企業サーバがＩＤ情報記録手段，測位手段及び無線通信手段からＩＤ情報，現在位置情報及び配置場所情報などのＩＴ機器に関する各種のＩＴ資産情報を取得するので、顧客企業の保有するＩＴ機器が多数であっても、ＩＴ機器に関する各種のＩＴ資産情報を顧客企業サーバにより迅速に収集することができ、顧客企業サーバが取得したＩＴ機器に関する各種のＩＴ資産情報をＩＴ資産管理センタサーバに送信するので、ＩＴ機器に関する各種のＩＴ資産情報を顧客企業サーバからネットワークを経由してＩＴ資産管理センタサーバに確実に伝送することができ、ＩＴ資産管理センタサーバが顧客企業サーバから送信されたＩＴ機器に関する各種のＩＴ資産情報を受信するので、ＩＴ資産管理センタがＩＴ機器に関する各種のＩＴ資産情報を顧客企業から自動的に入手することができ、ＩＴ資産管理センタサーバが受信したＩＴ機器に関する各種のＩＴ資産情報を管理データベースに登録するので、ＩＴ機器に関する各種のＩＴ資産情報をＩＴ資産管理センタの管理データベースにより管理することができ、顧客企業の保有する多数のＩＴ機器の所在位置をＩＴ資産情報により確定することができ、ＩＴ資産管理センタサーバが受信したＩＴ機器に関する各種のＩＴ資産情報をＩＴ資産管理者端末に送信するので、ＩＴ機器に関する各種のＩＴ資産情報をＩＴ資産管理センタサーバからネットワークを経由してＩＴ資産管理者端末に確実に伝送することができ、ＩＴ資産管理者端末がＩＴ資産管理センタサーバから送信されたＩＴ機器に関する各種のＩＴ資産情報を受信するので、ＩＴ資産管理者がＩＴ機器に関する各種のＩＴ資産情報をＩＴ資産管理センタから自動的に入手することができ、ＩＴ資産管理者端末が受信したＩＴ機器に関する各種のＩＴ資産情報を表示手段に編集・出力・表示するので、ＩＴ資産管理者が表示手段に編集・出力・表示されたＩＴ機器に関する各種のＩＴ資産情報を目視で確認して把握することができる。
【００１０】
本発明のＩＴ資産所在位置確定管理システムは、上記顧客企業サーバが、上記ＩＴ機器の電源投入時に、上記ＩＤ情報記録手段，上記測位手段及び上記無線通信手段から自己のＩＤ情報，自己の現在位置情報及び自己の配置場所情報などの前記ＩＴ機器に関する各種のＩＴ資産情報を取得する機能と、取得した前記ＩＴ機器に関する各種のＩＴ資産情報を上記ＩＴ資産管理センタサーバに送信する機能とを備えている。
【００１１】
上記に記載の本発明によれば、ＩＴ機器の電源投入時に、顧客企業サーバがＩＤ情報記録手段，測位手段及び無線通信手段からＩＤ情報，現在位置情報及び配置場所情報などのＩＴ機器に関する各種のＩＴ資産情報を取得するので、ＩＴ機器に関する各種のＩＴ資産情報を顧客企業サーバにより容易に収集でき、顧客企業サーバが取得したＩＴ機器に関する各種のＩＴ資産情報をＩＴ資産管理センタサーバに送信するので、ＩＴ機器に関する各種のＩＴ資産情報を顧客企業サーバからネットワークを経由してＩＴ資産管理センタサーバに確実に伝送できる。
【００１２】
本発明のＩＴ資産所在位置確定管理システムは、上記顧客企業サーバが、上記顧客企業の建物内に配置された上記ＩＴ機器を移動した場合に、上記ＩＤ情報記録手段，上記測位手段及び上記無線通信手段から移動された前記ＩＴ機器の自己のＩＤ情報，自己の現在位置情報及び自己の配置場所情報などの変更すべき前記ＩＴ機器に関する各種のＩＴ資産情報を取得する機能と、取得した変更すべき前記ＩＴ機器に関する各種のＩＴ資産情報を上記ＩＴ資産管理センタサーバに自動的に送信する機能とを備え、前記ＩＴ資産管理センタサーバが、前記顧客企業サーバから送信された変更すべき前記ＩＴ機器に関する各種のＩＴ資産情報を受信する機能と、受信した変更すべき前記ＩＴ機器に関する各種のＩＴ資産情報を上記管理データベースに記憶・更新する機能と、受信した変更すべき前記ＩＴ機器に関する各種のＩＴ資産情報を上記ＩＴ資産管理者端末に送信する機能とを備え、前記ＩＴ資産管理者端末が、前記ＩＴ資産管理センタサーバから送信された変更すべき前記ＩＴ機器に関する各種のＩＴ資産情報を受信する機能と、受信した変更すべき前記ＩＴ機器に関する各種のＩＴ資産情報を上記表示手段に編集・出力・表示する機能とを備えている。
【００１３】
上記に記載の本発明によれば、顧客企業の建物内に配置されたＩＴ機器を移動した場合に、顧客企業サーバがＩＤ情報記録手段，測位手段及び無線通信手段から移動されたＩＴ機器のＩＤ情報，現在位置情報及び配置場所情報などの変更すべきＩＴ機器に関する各種のＩＴ資産情報を取得するので、移動したＩＴ機器に関する各種のＩＴ資産情報を顧客企業サーバにより迅速に収集することができ、顧客企業サーバが取得した変更すべきＩＴ機器に関する各種のＩＴ資産情報をＩＴ資産管理センタサーバに自動的に送信するので、移動したＩＴ機器に関する各種のＩＴ資産情報を顧客企業サーバからネットワークを経由してＩＴ資産管理センタサーバに確実に伝送することができ、ＩＴ資産管理センタサーバが顧客企業サーバから送信された変更すべきＩＴ機器に関する各種のＩＴ資産情報を受信するので、ＩＴ資産管理センタが移動したＩＴ機器に関する各種のＩＴ資産情報を顧客企業から自動的に入手することができ、ＩＴ資産管理センタサーバが受信した変更すべきＩＴ機器に関する各種のＩＴ資産情報を管理データベースに記憶・更新するので、移動したＩＴ機器に関する各種のＩＴ資産情報をＩＴ資産管理センタの管理データベースにより管理することができ、顧客企業の保有する移動したＩＴ機器の所在位置をＩＴ資産情報により確定することができ、ＩＴ資産管理センタサーバが受信した変更すべきＩＴ機器に関する各種のＩＴ資産情報をＩＴ資産管理者端末に送信するので、移動したＩＴ機器に関する各種のＩＴ資産情報をＩＴ資産管理センタサーバからネットワークを経由してＩＴ資産管理者端末に確実に伝送することができ、ＩＴ資産管理者端末がＩＴ資産管理センタサーバから送信された変更すべきＩＴ機器に関する各種のＩＴ資産情報を受信するので、ＩＴ資産管理者が移動したＩＴ機器に関する各種のＩＴ資産情報をＩＴ資産管理センタから自動的に入手することができ、ＩＴ資産管理者端末が受信した変更すべきＩＴ機器に関する各種のＩＴ資産情報を表示手段に編集・出力・表示するので、ＩＴ資産管理者が表示手段に編集・出力・表示された移動したＩＴ機器に関する各種のＩＴ資産情報を目視で確認して把握することができる。
【００１４】
本発明のＩＴ資産所在位置確定管理システムは、上記ＩＴ機器を識別する上記ＩＤ情報が、ＩＤ番号，機種，機種名，型名，型番，製造番号，購入年月日などの情報を含んでいる。
【００１５】
上記に記載の本発明によれば、ＩＴ機器を識別するＩＤ情報がＩＤ番号，機種，機種名，型名，型番，製造番号，購入年月日などの情報を含んでいるので、ＩＤ情報を顧客企業の保有する多数のＩＴ機器の識別に有効利用することができる。
【００１６】
本発明のＩＴ資産所在位置確定管理システムは、上記現在位置情報が、ＧＰＳ情報である。
【００１７】
上記に記載の本発明によれば、現在位置情報がＧＰＳ情報であるので、顧客企業の建物内に配置されたＩＴ機器の現在位置をＧＰＳ情報により正確に特定することができる。
【００１８】
本発明のＩＴ資産所在位置確定管理システムは、上記ＩＴ機器を配置した場所を特定する上記配置場所情報が、上記顧客企業の建物のフロアの階層，区画などの情報を含んでいる。
【００１９】
上記に記載の本発明によれば、ＩＴ機器を配置した場所を特定する配置場所情報が顧客企業の建物のフロアの階層，区画などの情報を含んでいるので、配置場所情報を顧客企業の保有する多数のＩＴ機器の配置場所の特定に有効利用することができる。
【００２０】
本発明のＩＴ資産所在位置確定管理システムは、上記ＩＴ資産管理センタサーバが、任意の時刻に上記顧客企業サーバに上記ＩＴ機器に関する各種のＩＴ資産情報の送出を指示する機能を備えている。
【００２１】
上記に記載の本発明によれば、ＩＴ資産管理センタサーバが任意の時刻に顧客企業サーバにＩＴ機器に関する各種のＩＴ資産情報の送出を指示するので、ＩＴ機器に関する各種のＩＴ資産情報の送出をＩＴ資産管理センタから顧客企業に対して要求することができる。
【００２２】
本発明のＩＴ資産所在位置確定管理システムは、上記顧客企業サーバが、上記ＩＴ資産管理センタサーバからの送出指示に従って上記ＩＴ機器に関する各種のＩＴ資産情報を前記ＩＴ資産管理センタサーバに送信する機能を備えている。
【００２３】
上記に記載の本発明によれば、顧客企業サーバがＩＴ資産管理センタサーバからの送出指示に従ってＩＴ機器に関する各種のＩＴ資産情報をＩＴ資産管理センタサーバに送信するので、ＩＴ機器に関する各種のＩＴ資産情報を顧客企業サーバからネットワークを経由してＩＴ資産管理センタサーバに迅速に伝送することができる。
【００２４】
本発明のＩＴ資産所在位置確定管理システムは、上記ＩＴ資産管理者端末が、上記ＩＴ資産管理センタサーバに上記ＩＴ機器に関する各種のＩＴ資産情報の送出を指示する機能を備えている。
【００２５】
上記に記載の本発明によれば、ＩＴ資産管理者端末がＩＴ資産管理センタサーバにＩＴ機器に関する各種のＩＴ資産情報の送出を指示するので、ＩＴ機器に関する各種のＩＴ資産情報の送出をＩＴ資産管理者からＩＴ資産管理センタに対して要求することができる。
【００２６】
本発明のＩＴ資産所在位置確定管理システムは、上記ＩＴ資産管理センタサーバが、上記ＩＴ資産管理者端末からの送出指示に従って指示された上記ＩＴ機器に関する各種のＩＴ資産情報を上記管理データベースより入手する機能と、入手した前記ＩＴ機器に関する各種のＩＴ資産情報を編集・出力し、前記ＩＴ機器に関する各種のＩＴ資産情報を編集した編集情報を前記ＩＴ資産管理者端末に送出する機能とを備えている。
【００２７】
上記に記載の本発明によれば、ＩＴ資産管理センタサーバがＩＴ資産管理者端末からの送出指示に従って指示されたＩＴ機器に関する各種のＩＴ資産情報を管理データベースより入手するので、指示されたＩＴ機器に関する各種のＩＴ資産情報のみをＩＴ資産管理センタサーバにより管理データベースより検索して読み出すことができ、ＩＴ資産管理センタサーバが入手したＩＴ機器に関する各種のＩＴ資産情報を編集・出力し、ＩＴ資産管理センタサーバがＩＴ機器に関する各種のＩＴ資産情報を編集した編集情報をＩＴ資産管理者端末に送出するので、ＩＴ機器に関する各種のＩＴ資産情報の編集情報をＩＴ資産管理センタサーバからネットワークを経由してＩＴ資産管理者端末に迅速に伝送することができる。
【００２８】
本発明のＩＴ資産所在位置確定管理システムは、上記ＩＴ資産管理者端末が、上記ＩＴ資産管理センタサーバから送出された上記ＩＴ機器に関する各種のＩＴ資産情報の編集情報を受信する機能と、受信した前記ＩＴ機器に関する各種のＩＴ資産情報の編集情報を上記表示手段の表示画面に出力する機能とを備えている。
【００２９】
上記に記載の本発明によれば、ＩＴ資産管理者端末がＩＴ資産管理センタサーバから送出されたＩＴ機器に関する各種のＩＴ資産情報の編集情報を受信するので、ＩＴ資産管理者がＩＴ機器に関する各種のＩＴ資産情報の編集情報をＩＴ資産管理センタから自動的に入手することができ、ＩＴ資産管理者端末が受信したＩＴ機器に関する各種のＩＴ資産情報の編集情報を表示手段の表示画面に出力するので、ＩＴ資産管理者が表示手段の表示画面に出力されたＩＴ機器に関する各種のＩＴ資産情報の編集情報を確認して把握することができる。
【００３０】
本発明のＩＴ資産所在位置確定管理システムは、上記ＩＤ情報記録手段が、上記ＩＴ機器に内蔵されたＩＤチップである。
【００３１】
上記に記載の本発明によれば、ＩＤ情報記録手段がＩＴ機器に内蔵されたＩＤチップであるので、ＩＤチップが経年変化せず、ＩＴ機器から外れることもなく、また、ＩＴ機器の表面が汚れたり、他のものに隠れたとしても、ＩＴ機器をＩＤチップに記録されたＩＤ情報により識別することができる。
【００３２】
本発明のＩＴ資産所在位置確定管理システムは、上記測位手段が、上記ＩＴ機器に内蔵されたＧＰＳ（Ｇｌｏｂａｌ  Ｐｏｓｉｔｉｏｎｉｎｇ  Ｓｙｓｔｅｍ）チップである。
【００３３】
上記に記載の本発明によれば、測位手段がＩＴ機器に内蔵されたＧＰＳチップであるので、顧客企業の建物内に配置されたＩＴ機器の現在位置をＧＰＳチップにより正確に測定することができる。
【００３４】
本発明のＩＴ資産所在位置確定管理システムは、上記無線通信手段が、上記ＩＴ機器に内蔵された構内ＰＨＳ（Ｐｅｒｓｏｎａｌ  Ｈａｎｄｙｐｈｏｎｅ  Ｓｙｓｔｅｍ）チップである。
【００３５】
上記に記載の本発明によれば、無線通信手段がＩＴ機器に内蔵された構内ＰＨＳチップであるので、構内ＰＨＳチップが顧客企業の建物内の通信網と無線通信を行い、顧客企業の保有するＩＴ機器の配置場所を構内ＰＨＳチップにより特定することができる。
【００３６】
本発明のＩＴ資産所在位置確定管理システムは、上記無線通信手段が、上記ＩＴ機器に内蔵された無線ＬＡＮ（Ｌｏｃａｌ  Ａｒｅａ  Ｎｅｔｗｏｒｋ）ユニットである。
【００３７】
上記に記載の本発明によれば、無線通信手段がＩＴ機器に内蔵された無線ＬＡＮユニットであるので、無線ＬＡＮユニットが顧客企業の建物内の通信網と無線通信を行い、顧客企業の保有するＩＴ機器の配置場所を無線ＬＡＮユニットにより特定することができる。
【発明の効果】
【００３８】
以上に述べたように、本発明によれば、管理対象となるＩＴ機器にあらかじめＩＤ情報記録手段，測位手段及び無線通信手段を内蔵させておくのみで、ＩＴ機器に内蔵されたＩＤ情報記録手段にＩＤ情報が記録されているので、ＩＴ機器をＩＤ情報記録手段に記録されたＩＤ情報により識別することができ、ＩＴ機器に内蔵された測位手段が自己の現在位置を測定するので、ＩＴ機器の現在位置を測位手段により特定することができ、ＩＴ機器に内蔵された無線通信手段が通信網と無線通信を行うので、ＩＴ機器の配置場所を無線通信手段により特定することができ、顧客企業サーバがＩＤ情報記録手段，測位手段及び無線通信手段から取得したＩＤ情報，現在位置情報及び配置場所情報などのＩＴ機器に関する各種のＩＴ資産情報をネットワークを経由してＩＴ資産管理センタサーバに送信し、ＩＴ資産管理センタサーバが顧客企業サーバから送信されたＩＴ機器に関する各種のＩＴ資産情報を受信して管理データベースに登録するので、顧客企業の保有する多数のＩＴ機器に関する各種のＩＴ資産情報をＩＴ資産管理センタサーバにより管理することができ、顧客企業の建物内に配置されたＩＴ機器を移動した場合でも、顧客企業サーバがＩＤ情報記録手段，測位手段及び無線通信手段から取得した変更すべきＩＴ機器に関する各種のＩＴ資産情報をネットワークを経由してＩＴ資産管理センタサーバに自動的に送信するので、ＩＴ資産管理センタの管理データベースに登録されているＩＴ機器に関する各種のＩＴ資産情報をＩＴ資産管理センタサーバにより迅速に更新することができ、従来のようにＩＴ資産情報のうちの変更すべき情報をサーバのキーボードで入力することにより、ＩＴ資産情報を変更する必要がなく、ＩＴ資産情報を変更するためのサーバのキーボードで入力するような手間を省くことができ、ＩＴ機器の所在位置をＩＴ資産情報のうちの現在位置情報と配置場所情報から把握し、顧客企業の保有する多数のＩＴ機器の所在位置を容易に確定して管理することが可能なＩＴ資産所在位置確定管理システムを得ることができる。
【発明を実施するための最良の形態】
【００３９】
以下、本発明を実施するための最良の形態を図面を参照して詳細に説明する。
【実施例】
【００４０】
本発明のＩＴ資産所在位置確定管理システムＳは、管理対象となるＩＴ資産としての多数のＩＴ機器であるノート型パソコン（ＰＣ；Ｐｅｒｓｏｎａｌ  Ｃｏｍｐｕｔｅｒ）２を保有する顧客企業１と、顧客企業１の保有するノート型パソコン２に関する各種のＩＴ資産情報を管理するＩＴ資産管理センタ３と、ノート型パソコン２に関する各種のＩＴ資産情報を管理するＩＴ資産管理者４とからなり、顧客企業１のサーバ１０とＩＴ資産管理センタ３の管理サーバ３０とＩＴ資産管理者４の端末であるデスクトップ型パソコン（ＰＣ）４０とをネットワーク５を介してノート型パソコン２に関する各種のＩＴ資産情報を送受信するように接続し、顧客企業１の建物内に配置されたノート型パソコン２の所在位置を確定して管理するシステムである。
【００４１】
本発明のＩＴ資産所在位置確定管理システムＳは、ノート型パソコン２が、自己のＩＤ情報を記録したＩＤ情報記録手段であるＩＤチップ２０と、複数の人工衛星（図示せず）からの測距電波を受信することにより自己の現在位置を測定する測位手段であるＧＰＳチップ２１と、自己の配置場所を特定するために構内ＰＨＳ網などの通信網と無線通信を行う無線通信手段である構内ＰＨＳチップ２２と、自己の配置場所を特定するために無線ＬＡＮなどの通信網と無線通信を行う無線通信手段である無線ＬＡＮユニット２３とを具備している。
【００４２】
本発明のＩＴ資産所在位置確定管理システムＳは、顧客企業１のサーバ１０が、ＩＤチップ２０，ＧＰＳチップ２１及び構内ＰＨＳチップ２２若しくは無線ＬＡＮユニット２３から自己のＩＤ情報，自己の現在位置情報及び自己の配置場所情報などのノート型パソコン２に関する各種のＩＴ資産情報を取得する機能と、取得したノート型パソコン２に関する各種のＩＴ資産情報をＩＴ資産管理センタ３の管理サーバ３０に送信する機能とを備え、ＩＴ資産管理センタ３の管理サーバ３０が、顧客企業１のサーバ１０から送信されたノート型パソコン２に関する各種のＩＴ資産情報を受信する機能と、受信したノート型パソコン２に関する各種のＩＴ資産情報を管理データベース（ＤＢ；Ｄａｔａ  Ｂａｓｅ）３１に登録する機能と、受信したノート型パソコン２に関する各種のＩＴ資産情報をＩＴ資産管理者４のデスクトップ型パソコン４０に送信する機能とを備え、ＩＴ資産管理者４のデスクトップ型パソコン４０が、ＩＴ資産管理センタ３の管理サーバ３０から送信されたノート型パソコン２に関する各種のＩＴ資産情報を受信する機能と、受信したノート型パソコン２に関する各種のＩＴ資産情報を表示手段であるディスプレイ４１に編集・出力・表示する機能とを備えている。
【００４３】
本発明のＩＴ資産所在位置確定管理システムＳは、顧客企業１のサーバ１０が、ノート型パソコン２の電源投入時に、ＩＤチップ２０，ＧＰＳチップ２１及び構内ＰＨＳチップ２２若しくは無線ＬＡＮユニット２３から自己のＩＤ情報，自己の現在位置情報及び自己の配置場所情報などのノート型パソコン２に関する各種のＩＴ資産情報を取得する機能と、取得したノート型パソコン２に関する各種のＩＴ資産情報をＩＴ資産管理センタ３の管理サーバ３０に送信する機能とを備えている。
【００４４】
本発明のＩＴ資産所在位置確定管理システムＳは、顧客企業１のサーバ１０が、顧客企業１の建物内に配置されたノート型パソコン２を移動した場合に、ＩＤチップ２０，ＧＰＳチップ２１及び構内ＰＨＳチップ２２若しくは無線ＬＡＮユニット２３から移動されたノート型パソコン２の自己のＩＤ情報，自己の現在位置情報及び自己の配置場所情報などの変更すべきノート型パソコン２に関する各種のＩＴ資産情報を取得する機能と、取得した変更すべきノート型パソコン２に関する各種のＩＴ資産情報をＩＴ資産管理センタ３の管理サーバ３０に自動的に送信する機能とを備え、ＩＴ資産管理センタ３の管理サーバ３０が、顧客企業１のサーバ１０から送信された変更すべきノート型パソコン２に関する各種のＩＴ資産情報を受信する機能と、受信した変更すべきノート型パソコン２に関する各種のＩＴ資産情報を管理データベース３１に記憶・更新する機能と、受信した変更すべきノート型パソコン２に関する各種のＩＴ資産情報をＩＴ資産管理者４のデスクトップ型パソコン４０に送信する機能とを備え、ＩＴ資産管理者４のデスクトップ型パソコン４０が、ＩＴ資産管理センタ３の管理サーバ３０から送信された変更すべきノート型パソコン２に関する各種のＩＴ資産情報を受信する機能と、受信した変更すべきノート型パソコン２に関する各種のＩＴ資産情報をディスプレイ４１に編集・出力・表示する機能とを備えている。
【００４５】
本発明のＩＴ資産所在位置確定管理システムＳは、ノート型パソコン２を識別するＩＤ情報が、ＩＤ番号，機種，機種名，型名，型番，製造番号，購入年月日などの情報を含んでいる。
【００４６】
本発明のＩＴ資産所在位置確定管理システムＳは、現在位置情報が、ＧＰＳ情報である。
【００４７】
本発明のＩＴ資産所在位置確定管理システムＳは、ノート型パソコン２を配置した場所を特定する配置場所情報が、顧客企業１の建物のフロアの階層，区画などの情報を含んでいる。
【００４８】
本発明のＩＴ資産所在位置確定管理システムＳは、ＩＴ資産管理センタ３の管理サーバ３０が、任意の時刻に顧客企業１のサーバ１０にノート型パソコン２に関する各種のＩＴ資産情報の送出を指示する機能を備えている。
【００４９】
本発明のＩＴ資産所在位置確定管理システムＳは、顧客企業１のサーバ１０が、ＩＴ資産管理センタ３の管理サーバ３０からの送出指示に従ってノート型パソコン２に関する各種のＩＴ資産情報をＩＴ資産管理センタ３の管理サーバ３０に送信する機能を備えている。
【００５０】
本発明のＩＴ資産所在位置確定管理システムＳは、ＩＴ資産管理者４のデスクトップ型パソコン４０が、ＩＴ資産管理センタ３の管理サーバ３０にノート型パソコン２に関する各種のＩＴ資産情報の送出を指示する機能を備えている。
【００５１】
本発明のＩＴ資産所在位置確定管理システムＳは、ＩＴ資産管理センタ３の管理サーバ３０が、ＩＴ資産管理者４のデスクトップ型パソコン４０からの送出指示に従って指示されたノート型パソコン２に関する各種のＩＴ資産情報を管理データベース３１より入手する機能と、入手したノート型パソコン２に関する各種のＩＴ資産情報を編集・出力し、ノート型パソコン２に関する各種のＩＴ資産情報を編集した編集情報をＩＴ資産管理者４のデスクトップ型パソコン４０に送出する機能とを備えている。
【００５２】
本発明のＩＴ資産所在位置確定管理システムＳは、ＩＴ資産管理者４のデスクトップ型パソコン４０が、ＩＴ資産管理センタ３の管理サーバ３０から送出されたノート型パソコン２に関する各種のＩＴ資産情報の編集情報を受信する機能と、受信したノート型パソコン２に関する各種のＩＴ資産情報の編集情報をディスプレイ４１の表示画面４１ａに出力する機能とを備えている。
【００５３】
本発明のＩＴ資産所在位置確定管理システムＳは、ＩＤ情報記録手段が、ノート型パソコン２に内蔵されたＩＤチップ２０である。
【００５４】
本発明のＩＴ資産所在位置確定管理システムＳは、測位手段が、ノート型パソコン２に内蔵されたＧＰＳチップ２１である。
【００５５】
本発明のＩＴ資産所在位置確定管理システムＳは、無線通信手段が、ノート型パソコン２に内蔵された構内ＰＨＳチップ２２である。
【００５６】
本発明のＩＴ資産所在位置確定管理システムＳは、無線通信手段が、ノート型パソコン２に内蔵された無線ＬＡＮユニット２３である。
【００５７】
図１は、本発明に係る実施例のＩＴ資産所在位置確定管理システムの概念構成を示すブロック図である。
顧客企業１は、図１に示すように、パソコン本体とディスプレイとキーボードが別体のデスクトップ型パソコン（ＰＣ）１１と、デスクトップ型パソコン１１に接続された管理対象となるキーボードを搭載したパソコン本体とディスプレイが一体のノート型パソコン（ＰＣ）２と、デスクトップ型パソコン１１，ノート型パソコン２に接続されたサーバ１０と、デスクトップ型パソコン１１，ノート型パソコン２，サーバ１０に接続されたデータベース（ＤＢ）１２と、デスクトップ型パソコン１１，ノート型パソコン２，サーバ１０，データベース１２に接続されたルータ１３と、デスクトップ型パソコン１１，ノート型パソコン２，サーバ１０，データベース１２に接続された構内交換機１４と、構内交換機１４に接続された構内ＰＨＳ基地局１５と、建物内に設置された無線ＬＡＮ基地局１６とを有している。
ルータ１３は、ネットワーク間を相互に接続するためのものである。
【００５８】
顧客企業１のデスクトップ型パソコン１１，ノート型パソコン２，サーバ１０及びデータベース１２は、ルータ１３を介してネットワーク５に接続されるようになっている。
【００５９】
顧客企業１のサーバ１０は、ノート型パソコン２に内蔵されたＩＤチップ２０からＩＤ番号，機種，機種名，型名，型番，製造番号，購入年月日などのＩＤ情報を取得するようになっている。
【００６０】
また、顧客企業１のサーバ１０は、ノート型パソコン２に内蔵されたＧＰＳチップ２１から現在位置情報などのＧＰＳ情報を取得するようになっている。
【００６１】
さらに、顧客企業１のサーバ１０は、ノート型パソコン２に内蔵された構内ＰＨＳチップ２２若しくは無線ＬＡＮユニット２３からノート型パソコン２を配置した顧客企業１の建物のフロアの階層，区画などの配置場所情報を取得するようになっている。
【００６２】
ＩＴ資産管理センタ３は、図１に示すように、パソコン本体とディスプレイとキーボードが別体のデスクトップ型パソコン（ＰＣ）３２と、デスクトップ型パソコン３２に接続された管理サーバ３０と、デスクトップ型パソコン３２，管理サーバ３０に接続された管理データベース（ＤＢ）３１と、デスクトップ型パソコン３２，管理サーバ３０，管理データベース３１に接続されたルータ３３と、デスクトップ型パソコン３２，管理サーバ３０，管理データベース３１に接続された交換機３４とを有している。
ルータ３３は、ネットワーク間を相互に接続するためのものである。
【００６３】
ＩＴ資産管理センタ３のデスクトップ型パソコン３２，管理サーバ３０及び管理データベース３１は、ルータ３３を介してネットワーク５に接続されるようになっている。
【００６４】
ＩＴ資産管理センタ３のデスクトップ型パソコン３２は、交換機３４を介して公衆電話網６に接続されるようになっている。
【００６５】
ＩＴ資産管理センタ３は、顧客企業１の建物内に配置されたノート型パソコン２の所在位置をＧＰＳ情報，配置場所情報から確定して管理サーバ３０により管理することができる。
【００６６】
ＩＴ資産管理者４は、図１に示すように、パソコン本体とディスプレイとキーボードが別体のデスクトップ型パソコン（ＰＣ）４０と、デスクトップ型パソコン４０に接続されたルータ４２とを有している。
ルータ４２は、ネットワーク間を相互に接続するためのものである。
【００６７】
ＩＴ資産管理者４のデスクトップ型パソコン４０は、ルータ４２を介してネットワーク５に接続されるようになっている。
【００６８】
図２は、本発明に係る実施例のＩＴ資産所在位置確定管理システムにおけるＩＴ資産であるＩＴ機器を示す斜視図である。
顧客企業１の建物内に配置されたＩＴ資産としてのＩＴ機器であるノート型パソコン２は、図２に示すように、キーボード２６を搭載したパソコン本体２５と、パソコン本体２５に回動自在に装着されたディスプレイ２７とを備え、ディスプレイ２７にはＩＤチップ２０，ＧＰＳチップ２１，構内ＰＨＳチップ２２及び無線ＬＡＮユニット２３がそれぞれ内蔵されている。
【００６９】
ノート型パソコン２のディスプレイ２７に内蔵された構内ＰＨＳチップ２２は、構内交換機１４に接続した構内ＰＨＳ基地局１５を介して公衆電話網６に接続されるようになっている。
【００７０】
ノート型パソコン２のディスプレイ２７に内蔵された構内ＰＨＳチップ２２が顧客企業１の建物内の構内ＰＨＳ基地局１５と無線通信を行うことにより、顧客企業１のサーバ１０は、ノート型パソコン２の配置場所を特定することが可能である。
【００７１】
また、ノート型パソコン２のディスプレイ２７に内蔵された無線ＬＡＮユニット２３が顧客企業１の建物内に設置された無線ＬＡＮ基地局１６と無線通信を行うことにより、顧客企業１のサーバ１０は、ノート型パソコン２の配置場所を特定することが可能である。
【００７２】
図３は、本発明に係る実施例のＩＴ資産所在位置確定管理システムにおけるＩＴ機器に関する各種のＩＴ資産情報の初期設定時の処理フロー図である。
ステップＳ１００でスタートした処理は、ＩＴ機器に関する各種のＩＴ資産情報の初期設定時に、まず、ステップＳ１０１で顧客企業１のサーバ１０がノート型パソコン２に内蔵されたＩＤチップ２０，ＧＰＳチップ２１及び構内ＰＨＳチップ２２若しくは無線ＬＡＮユニット２３からＩＤ情報，ＧＰＳ情報及び配置場所情報などのノート型パソコン２に関する各種のＩＴ資産情報を取得し、次いで、ステップＳ１０２で顧客企業１のサーバ１０が取得したノート型パソコン２に関する各種のＩＴ資産情報をネットワーク５を経由してＩＴ資産管理センタ３の管理サーバ３０に送信し、次いで、ステップＳ１０３でＩＴ資産管理センタ３の管理サーバ３０が顧客企業１のサーバ１０から送信されたノート型パソコン２に関する各種のＩＴ資産情報を受信し、次いで、ステップＳ１０４でＩＴ資産管理センタ３の管理サーバ３０が受信したノート型パソコン２に関する各種のＩＴ資産情報を管理データベース３１に登録する。
【００７３】
図４は、本発明に係る実施例のＩＴ資産所在位置確定管理システムにおけるＩＴ機器に関する各種のＩＴ資産情報の送信・更新時の処理フロー図である。
ステップＳ２００でスタートした処理は、ＩＴ機器に関する各種のＩＴ資産情報の送信・更新時に、まず、ステップＳ２０１でノート型パソコン２の電源投入時であるかを判断する。
【００７４】
ステップＳ２０１において、ノート型パソコン２の電源投入時である場合は、ステップＳ２０２に移行し、ステップＳ２０２で顧客企業１のサーバ１０がノート型パソコン２に内蔵されたＩＤチップ２０，ＧＰＳチップ２１及び構内ＰＨＳチップ２２若しくは無線ＬＡＮユニット２３からＩＤ情報，ＧＰＳ情報及び配置場所情報などのノート型パソコン２に関する各種のＩＴ資産情報を取得し、次いで、ステップＳ２０３で顧客企業１のサーバ１０が取得したノート型パソコン２に関する各種のＩＴ資産情報をネットワーク５を経由してＩＴ資産管理センタ３の管理サーバ３０に送信し、次いで、ステップＳ２０４でＩＴ資産管理センタ３の管理サーバ３０が顧客企業１のサーバ１０から送信されたノート型パソコン２に関する各種のＩＴ資産情報を受信し、次いで、ステップＳ２０５でＩＴ資産管理センタ３の管理サーバ３０が受信したノート型パソコン２に関する各種のＩＴ資産情報を管理データベース３１に記憶・更新する。
【００７５】
ステップＳ２０１において、ノート型パソコン２の電源投入時でない場合は、ステップＳ２０６に移行し、ステップＳ２０６でノート型パソコン２に関する各種のＩＴ資産情報の送出要求であるかを判断する。
【００７６】
ステップＳ２０６において、ノート型パソコン２に関する各種のＩＴ資産情報の送出要求である場合は、ステップＳ２０２に移行し、ステップＳ２０２以降のノート型パソコン２に関する各種のＩＴ資産情報の送出を実行する。
【００７７】
図５は、本発明に係る実施例のＩＴ資産所在位置確定管理システムにおけるＩＴ機器の移動によるＩＴ機器に関する各種のＩＴ資産情報の送信・更新時の処理フロー図である。
ステップＳ３００でスタートした処理は、ＩＴ機器の移動によるＩＴ機器に関する各種のＩＴ資産情報の送信・更新時に、まず、ステップＳ３０１で顧客企業１の建物内に配置されたノート型パソコン２を移動したかを判断する。
【００７８】
ステップＳ３０１において、顧客企業１の建物内に配置されたノート型パソコン２を移動した場合は、ステップＳ３０２に移行し、ステップＳ３０２で顧客企業１のサーバ１０がＩＤチップ２０，ＧＰＳチップ２１及び構内ＰＨＳチップ２２若しくは無線ＬＡＮユニット２３から移動されたノート型パソコン２のＩＤ情報，ＧＰＳ情報及び配置場所情報などの変更すべきノート型パソコン２に関する各種のＩＴ資産情報を取得し、次いで、ステップＳ３０３で顧客企業１のサーバ１０が取得した変更すべきノート型パソコン２に関する各種のＩＴ資産情報をネットワーク５を経由してＩＴ資産管理センタ３の管理サーバ３０に自動的に送信し、次いで、ステップＳ３０４でＩＴ資産管理センタ３の管理サーバ３０が顧客企業１のサーバ１０から送信された変更すべきノート型パソコン２に関する各種のＩＴ資産情報を受信し、次いで、ステップＳ３０５でＩＴ資産管理センタ３の管理サーバ３０が受信した変更すべきノート型パソコン２に関する各種のＩＴ資産情報を管理データベース３１に記憶・更新し、次いで、ステップＳ３０６でＩＴ資産管理センタ３の管理サーバ３０が受信した変更すべきノート型パソコン２に関する各種のＩＴ資産情報をネットワーク５を経由してＩＴ資産管理者４のデスクトップ型パソコン４０に送信し、次いで、ステップＳ３０７でＩＴ資産管理者４のデスクトップ型パソコン４０がＩＴ資産管理センタ３の管理サーバ３０から送信された変更すべきノート型パソコン２に関する各種のＩＴ資産情報を受信し、次いで、ステップＳ３０８でＩＴ資産管理者４のデスクトップ型パソコン４０が受信した変更すべきノート型パソコン２に関する各種のＩＴ資産情報をディスプレイ４１に編集・出力・表示する。
【００７９】
図６は、本発明に係る実施例のＩＴ資産所在位置確定管理システムにおけるＩＴ機器に関する各種のＩＴ資産情報の送信要求時の処理フロー図である。
ステップＳ４００でスタートした処理は、ＩＴ機器に関する各種のＩＴ資産情報の送信要求時に、まず、ステップＳ４０１でＩＴ資産管理センタ３の管理サーバ３０が任意の時刻に顧客企業１のサーバ１０にノート型パソコン２に関する各種のＩＴ資産情報の送出を指示し、次いで、ステップＳ４０２で顧客企業１のサーバ１０がＩＴ資産管理センタ３の管理サーバ３０からの送出指示に従ってノート型パソコン２に関する各種のＩＴ資産情報をネットワーク５を経由してＩＴ資産管理センタ３の管理サーバ３０に送信し、次いで、ステップＳ４０３でＩＴ資産管理センタ３の管理サーバ３０が顧客企業１のサーバ１０から送信されたノート型パソコン２に関する各種のＩＴ資産情報を受信し、次いで、ステップＳ４０４でＩＴ資産管理センタ３の管理サーバ３０が受信したノート型パソコン２に関する各種のＩＴ資産情報を管理データベース３１に記憶・更新する。
【００８０】
図７は、本発明に係る実施例のＩＴ資産所在位置確定管理システムにおけるＩＴ機器に関する各種のＩＴ資産情報の編集・出力・表示時の処理フロー図である。
ステップＳ５００でスタートした処理は、ＩＴ機器に関する各種のＩＴ資産情報の編集・出力・表示時に、まず、ステップＳ５０１でＩＴ資産管理者４のデスクトップ型パソコン４０がネットワーク５を経由してＩＴ資産管理センタ３の管理サーバ３０にノート型パソコン２に関する各種のＩＴ資産情報の編集・出力・表示コマンドを送出し、次いで、ステップＳ５０２でＩＴ資産管理センタ３の管理サーバ３０がＩＴ資産管理者４のデスクトップ型パソコン４０から指示されたノート型パソコン２に関する各種のＩＴ資産情報を管理データベース３１より入手し、次いで、ステップＳ５０３でＩＴ資産管理センタ３の管理サーバ３０が入手したノート型パソコン２に関する各種のＩＴ資産情報を編集・出力し、ノート型パソコン２に関する各種のＩＴ資産情報を編集した編集情報をネットワーク５を経由してＩＴ資産管理者４のデスクトップ型パソコン４０に送出し、次いで、ステップＳ５０４でＩＴ資産管理者４のデスクトップ型パソコン４０がＩＴ資産管理センタ３の管理サーバ３０から送出されたノート型パソコン２に関する各種のＩＴ資産情報の編集情報を受信し、次いで、ステップＳ５０５でＩＴ資産管理者４のデスクトップ型パソコン４０が受信したノート型パソコン２に関する各種のＩＴ資産情報の編集情報をディスプレイ４１の表示画面４１ａに出力し、次いで、ステップＳ５０６でＩＴ資産管理者４のデスクトップ型パソコン４０から他に指示があるかを判断する。
【００８１】
ステップＳ５０６において、ＩＴ資産管理者４のデスクトップ型パソコン４０から他に指示がある場合は、ステップＳ５０１に戻る。
【００８２】
なお、上述した実施例においては、管理対象となるＩＴ資産としてのＩＴ機器（ノート型パソコン）にＩＤ情報記録手段（ＩＤチップ），測位手段（ＧＰＳチップ）及び無線通信手段（構内ＰＨＳチップ，無線ＬＡＮユニット）を内蔵させた一例を説明したが、ＩＴ資産となる他のＩＴ機器としては、パソコン本体とディスプレイとキーボードが別体のデスクトップ型パソコンや、サーバや、プリンタや、複写機や、ファクシミリや、複合機などが挙げられ、デスクトップ型パソコンのパソコン本体やディスプレイやキーボードにＩＤ情報記録手段，測位手段及び無線通信手段を付設しても良く、また、サーバ，プリンタ，複写機，ファクシミリ，複合機などのＩＴ機器にＩＤ情報記録手段，測位手段及び無線通信手段を付設しても良い。
【図面の簡単な説明】
【００８３】
【図１】本発明に係る実施例のＩＴ資産所在位置確定管理システムの概念構成を示すブロック図。
【図２】本発明に係る実施例のＩＴ資産所在位置確定管理システムにおけるＩＴ資産であるＩＴ機器を示す斜視図。
【図３】本発明に係る実施例のＩＴ資産所在位置確定管理システムにおけるＩＴ機器に関する各種のＩＴ資産情報の初期設定時の処理フローチャート図。
【図４】本発明に係る実施例のＩＴ資産所在位置確定管理システムにおけるＩＴ機器に関する各種のＩＴ資産情報の送信・更新時の処理フローチャート図。
【図５】本発明に係る実施例のＩＴ資産所在位置確定管理システムにおけるＩＴ機器の移動によるＩＴ機器に関する各種のＩＴ資産情報の送信・更新時の処理フローチャート図。
【図６】本発明に係る実施例のＩＴ資産所在位置確定管理システムにおけるＩＴ機器に関する各種のＩＴ資産情報の送信要求時の処理フローチャート図。
【図７】本発明に係る実施例のＩＴ資産所在位置確定管理システムにおけるＩＴ機器に関する各種のＩＴ資産情報の編集・出力・表示時の処理フローチャート図。
【符号の説明】
【００８４】
１  顧客企業
２  ノート型パソコン（ＩＴ機器）
３  ＩＴ資産管理センタ
４  ＩＴ資産管理者
５  ネットワーク
６  公衆電話網
１０  サーバ
１１  デスクトップ型パソコン（ＰＣ）
１２  データベース（ＤＢ）
１３  ルータ
１４  構内交換機
１５  構内ＰＨＳ基地局
１６  無線ＬＡＮ基地局
２０  ＩＤチップ（ＩＤ情報記録手段）
２１  ＧＰＳチップ（測位手段）
２２  構内ＰＨＳチップ（無線通信手段）
２３  無線ＬＡＮユニット（無線通信手段）
２５  パソコン本体
２６  キーボード
２７  ディスプレイ
３０  管理サーバ
３１  管理データベース（ＤＢ）
３２  デスクトップ型パソコン（ＰＣ）
３３  ルータ
３４  交換機
４０  デスクトップ型パソコン（端末）
４１  ディスプレイ（表示手段）
４１ａ  表示画面
４２  ルータ
Ｓ  ＩＴ資産所在位置確定管理システム
【図１】
2005208808.tif 000003
【図２】
2005208808.tif 000004
【図３】
2005208808.tif 000005
【図４】
2005208808.tif 000006
【図５】
2005208808.tif 000007
【図６】
2005208808.tif 000008
【図７】
2005208808.tif 000009